(57)【要約】【課題】省スペースでより多くの携帯無線機を充電することができ、配置されるスペースの煩雑さを解消でき、配置されるスペースを容易に整理することができ、充電中の携帯無線機を強固にロックすることができる縦型の多連構造を有する多連型の携帯無線機用充電器を提供すること。【解決手段】充電器３０は、携帯無線機１０を充電するために、携帯無線機１０を収納し、収納した際、携帯無線機１０が自重によって摺動するように傾斜している収納部４０と、収納部４０内に携帯無線機１０をロックするロック機構５０とを具備している。ロック機構５０は、回動軸５３と、先端５５ａが携帯無線機１０の上面１０ａに当接することで外部への携帯無線機１０の抜け落ちを防止するロックレバー５５と、ロックレバー５５の回動を規制する規制部５７とを有している。充電器３０は、携帯無線機１０を充電するために複数の収納部４０を高さ方向に沿って並んで配設することで縦型の多連構造を有する。【選択図】      図１
2011125203.tif 000002
【特許請求の範囲】
【請求項１】
携帯無線機を充電するために前記携帯無線機を収納し、収納した際に前記携帯無線機が自重によって摺動するように、傾斜している収納部と、
前記収納部内に前記携帯無線機をロックするロック機構と、
を具備し、
前記ロック機構は、
厚み方向の周方向に自在に回動する回動軸と、
前記回動軸が貫通し、前記回動軸によって前記厚み方向の周方向に自在に回動し、先端が前記収納部を摺動する前記携帯無線機に当接することで外部への前記携帯無線機の抜け落ちを防止し、前記携帯無線機をロックするロック本体部と、
前記ロック本体部の回動を規制する規制部と、
を有し、
複数の前記携帯無線機を充電するために、複数の前記収納部を高さ方向に沿って並んで配設することで、縦型の多連構造を有する多連型の携帯無線機用充電器。
【発明の詳細な説明】
【技術分野】
【０００１】
本発明は、携帯無線機を強固にロックし、縦型の多連構造を有する多連型の携帯無線機用充電器に関する。
【背景技術】
【０００２】
一般に携帯型で無線を用いる携帯無線機は、例えば業務用に用いられ、屋外、または屋外に準ずる環境にて長時間使用される。そのため携帯無線機は、携帯無線機を長時間使用可能とするための充電可能な大容量のバッテリーを有している。携帯無線機が長時間使用された後、携帯無線機は、バッテリーを携帯無線機用充電器（以下、充電器）にて充電する必要が生じる。
【０００３】
充電器は、例えばカップ形状を有している。充電の際に、充電器には、携帯無線機が差し込まれ充電される。  
または充電器は、携帯無線機の例えば両側面を引っ掛けて、携帯無線機を固定する引っ掛け部を有している。充電の際に、携帯無線機は引っ掛け部に引っ掛けられて充電される。
【０００４】
このように充電器は、携帯無線機を自在に取り外しでき、充電するものでる。
【０００５】
例えば特許文献１には、充電中確実に携帯電子機器をロックすることができる安価な携帯電子機器用充電器のロック装置が開示されている。
【先行技術文献】
【特許文献】
【０００６】
【特許文献１】特開平９−４６２６２号公報
【発明の概要】
【発明が解決しようとする課題】
【０００７】
しかしながら、上述したようなカップ形状や引っ掛け部を有する充電器では、１つの充電器に対して１つの携帯無線機しか充電できない。  
よって複数の携帯無線機を充電するためには、携帯無線機と同数の充電器を用意する必要があり、充電する携帯無線機の数が多ければ多いほど、充電器の数も多くなる。多数の充電器を用意すると、結果的に充電器を配置するための広いスペースが必要となる。
【０００８】
また上述したように１台の充電器で１台の携帯無線機しか充電できない場合において、充電器が３台あり、携帯無線機が４台あるとすると、一度に充電できる携帯無線機の数は、３台である。このように充電できる携帯無線機の数は充電器の数によって予め決まってしまい、充電できる携帯無線機の数に限界が生じ、携帯無線機を収納するための収納密度に限界が生じる。また図７Ａに示すように、１台の充電器３００で複数の携帯無線機１０を充電できたとしても、このような１台の充電器３００は奥型の多連構造を有するために、充電器３００を配置するための広いスペースが必要となる。
【０００９】
また携帯無線機のためのハンドセット及びスピーカマイク等のオプション機器が例えば机などのスペースに配置され、複数の充電器が机にて狭いスペースに並んで配置されているとする。一般に携帯無線機には、ケーブルが配設されている。よって、机は、各充電器に差し込まれている携帯無線機のケーブルと、オプション機器と、並んで配置されている複数の充電器とよって煩雑してしまう。このように机が煩雑になると、机等の整理も容易ではない。
【００１０】
また複数の充電器が上述したように狭いスペースに並んで配置され、携帯無線機が各充電器に差し込まれていることもある。このような状態で１つ（一方）の携帯無線機が一方の充電器から取り外される際に上述したように充電器が配置されるスペースが煩雑していると、取り外す一方の携帯無線機に配設されているケーブルが、他方の充電器に差し込まれて充電している他方の携帯無線機のケーブルに絡まる虞が生じる。これにより充電中の他方の携帯無線機が意図せずに充電器から外れてしまう虞が生じる。
【００１１】
このように携帯無線機が充電器から意図せずに外れると、充電が中断し、充電不良が生じてしまう。また充電器が机等に配置された状態で、上述したように充電器や携帯無線機が衝撃や振動を受け、携帯無線機が充電器から外れると、携帯無線機が机から落下し破損してしまう虞が生じる。また携帯無線機が充電器から意図せずに外れると、オプション機器にぶつかり、オプション機器が故障、破損する虞が生じる。
【００１２】
そのため本発明は、上記事情に鑑み、省スペースでより多くの携帯無線機を充電することができ、配置されるスペースの煩雑さを解消でき、配置されるスペースを容易に整理することができ、充電中の携帯無線機を強固にロックすることができる携帯無線機用充電器を提供することを目的とする。
【課題を解決するための手段】
【００１３】
本発明は目的を達成するために、携帯無線機を充電するために前記携帯無線機を収納し、収納した際に前記携帯無線機が自重によって摺動するように、傾斜している収納部と、前記収納部内に前記携帯無線機をロックするロック機構と、を具備し、前記ロック機構は、厚み方向の周方向に自在に回動する回動軸と、前記回動軸が貫通し、前記回動軸によって前記厚み方向の周方向に自在に回動し、先端が前記収納部を摺動する前記携帯無線機に当接することで外部への前記携帯無線機の抜け落ちを防止し、前記携帯無線機をロックするロック本体部と、前記ロック本体部の回動を規制する規制部と、を有し、複数の前記携帯無線機を充電するために、複数の前記収納部を高さ方向に沿って並んで配設することで、縦型の多連構造を有する多連型の携帯無線機用充電器を提供する。
【発明の効果】
【００１４】
本発明によれば、省スペースでより多くの携帯無線機を充電することができ、配置されるスペースの煩雑さを解消でき、配置されるスペースを容易に整理することができ、充電中の携帯無線機を強固にロックすることができる多連型の携帯無線機用充電器を提供することができる。
【図面の簡単な説明】
【００１５】
【図１】図１は、複数の携帯無線機を収納する縦型の多連構造を有する多連型の携帯無線機用充電器を先端側から見た斜視図である。
【図２】図２は、図１に示す携帯無線機用充電器を基端側から見た斜視図である。
【図３】図３は、携帯無線機を収納する状態を示す携帯無線機用充電器の図である。
【図４Ａ】図４Ａは、携帯無線機を携帯無線機用充電器に差し込む状態を示す図である。
【図４Ｂ】図４Ｂは、携帯無線機用充電器に差し込まれた携帯無線機が携帯無線機用充電器にロックされている状態を示す図である。
【図４Ｃ】図４Ｃは、携帯無線機を携帯無線機用充電器から抜去する状態を示す図である。
【図５】図５は、切り欠き部を有する携帯無線機用充電器を先端側から見た斜視図である。
【図６Ａ】図６Ａは、縦型の多連構造を有する複数の携帯無線機用充電器が互いに接続する状態を先端側から見た斜視図である。
【図６Ｂ】図６Ｂは、複数の携帯無線機用充電器が互いに接続した状態を先端側から見た斜視図である。
【図６Ｃ】図６Ｃは、図６Ｂに示す携帯無線機用充電器を基端側から見た斜視図である。
【図７Ａ】図７Ａは、カップ形状で奥型の多連構造を有する複数の携帯無線機用充電器が互いに接続して横型の多連構造も有する状態を先端側から示す斜視図である。
【図７Ｂ】図７Ｂは、図７Ａに示す携帯無線機用充電器を上面側から見た際において、この携帯無線機用充電器を使用する際のイメージを示す図である。
【図７Ｃ】図７Ｃは、図６Ｂと図６Ｃとに示す携帯無線機用充電器を上面側から見た際において、この携帯無線機用充電器を使用する際のイメージを示す図である。
【発明を実施するための形態】
【００１６】
以下、図１乃至図３と図４Ａと図４Ｂと図４Ｃとを参照して本発明の実施形態について詳細に説明する。  
なお以下の説明において、携帯無線機用充電器（以下、充電器３０）の幅方向を、Ｘ方向、左右方向または奥方向とする。また充電器３０の厚み方向を、Ｙ方向、前後方向または横方向とする。また充電器３０の高さ方向を、Ｚ方向、上下方向または縦方向とする。  
Ｘ方向と、Ｙ方向と、Ｚ方向とは、それぞれ互いに直交している。
なおＸ方向は、携帯無線機１０の高さ方向である。またＹ方向は、携帯無線機１０の厚み方向である。またＺ方向は、携帯無線機１０の幅方向である。
【００１７】
携帯無線機１０は、携帯型であり、無線を用い、例えば業務用に用いられ、屋外、または屋外に準ずる環境にて長時間使用される。そのため携帯無線機１０は、図３に示すように、携帯無線機１０を長時間使用可能とするための充電可能な大容量のバッテリー１１を内部に有している。携帯無線機１０が長時間使用される際、携帯無線機１０は、バッテリー１１を充電器３０にて予め充電する必要が生じる。そのため携帯無線機１０は、バッテリー１１の充電のために、図１乃至図３と図４Ａと図４Ｂと図４Ｃとに示すように、充電器３０に差し込まれる。
【００１８】
このような携帯無線機１０は、例えば細長い直方体形状を有している。  
図３に示すように、携帯無線機１０は、無線によってデータを送受信する送受信部であるアンテナ１３と、無線によって受信した音声を出力する音声出力部であるスピーカ１５と、無線によって送受信されたデータや、圏内や圏外といった無線を使用する状態を表示する表示部であるモニタ１７と、携帯無線機１０を操作する操作部であるスイッチ１９と、無線によって音声を送信するために音声を入力する音声入力部であるマイク２１とを有している。
【００１９】
アンテナ１３は、携帯無線機１０の頭頂部である上面１０ａの例えば左端に配設されている。上面１０ａは、例えば平面である。スピーカ１５とモニタ１７とスイッチ１９とマイク２１とは、携帯無線機１０の正面１０ｂに配設されている。マイク２１は、正面１０ｂの携帯無線機１０の高さ方向下側に配設されている。
【００２０】
また携帯無線機１０には、通常、側面１０ｃから図示しないケーブルが延出されている。携帯無線機１０がバッテリー１１の充電のために充電器３０に差し込まれて収納される際、このケーブルは携帯無線機１０から取り外される。この側面１０ｃは、滑らかな平面であることが好適である。
【００２１】
また携帯無線機１０は、充電用の端子２５を携帯無線機１０の背面の例えば基端１０ｄ側に有している。端子２５は、バッテリー１１と接続している。この端子２５は、バッテリー１１を充電するために携帯無線機１０が充電器３０に差し込まれた際に、充電器３０に配設されている充電用の端子３５と電気的に接続する。
【００２２】
図１と図２とに示すように、充電器３０は、携帯無線機１０を充電するために、携帯無線機１０を収納する収納部４０を複数有している。１つの収納部４０は、１台の携帯無線機１０を収納する。１台の充電器３０はこのような収納部４０を複数有しているために、１台の充電器３０は複数の携帯無線機１０（バッテリー１１）を同時に充電することが可能となる。収納部４０は、Ｚ方向に沿って並んで配設されており、多連となっている。つまり充電器３０は、複数の携帯無線機１０を充電するために、複数の収納部４０を高さ（縦）方向に沿って並んで配設することで、縦型の多連構造を有していることとなる。
【００２３】
収納部４０は、携帯無線機１０を収納部４０に挿入（収納）する（充電器３０に差し込む）ための挿入口となる基端側開口部４１を図２と図３とに示すように例えばＸ方向において基端４１ａ側に有し、収納部４０に収納されている携帯無線機１０を収納部４０から抜去するための抜去口となる先端側開口部４３を、図１と図３とに示すように例えばＸ方向において先端４３ａ側にさらに有している。基端側開口部４１と先端側開口部４３とは、図３に示すように貫通して繋がっている。つまり収納部４０は、基端側開口部４１と、基端側開口部４１と連通している先端側開口部４３とを有している。このように収納部４０は、中空形状を有しており、言い換えると、基端側開口部４１と先端側開口部４３とからなる吹き抜け構造を有している。
【００２４】
なお収納部４０は、携帯無線機１０がバッテリー１１の充電のために例えば基端側開口部４１を介して収納部４０に上面１０ａ側から収納されることで、携帯無線機１０を収納する。このとき収納部４０は、携帯無線機１０全体を収納し、バッテリー１１を充電するための充電ポケットとなる。
【００２５】
また携帯無線機１０がバッテリー１１の充電のために例えば基端側開口部４１から収納部４０に収納された際、携帯無線機１０が自重によって基端側開口部４１側から先端側開口部４３側に向って収納部４０内を摺動するように、収納部４０は図３に示すように基端側開口部４１から先端側開口部４３に向ってＺ方向（縦方向）に低くなるように傾斜している。つまり、基端４１ａ（基端側開口部４１）側は、先端４３ａ（先端側開口部４３）側よりも高い位置に配設されている。携帯無線機１０が摺動する収納部４０内の摺動面４５は、摺動を促進するために、摩擦係数が低い材質によってコーティングされている。この材質は、例えばガラスや金属である。
【００２６】
また収納部４０は、図２に示すように、携帯無線機１０の幅（縦・Ｚ）方向の長さと略同様の幅（縦・Ｚ）方向の長さを有し、携帯無線機１０の厚み（横・Ｙ）方向の長さと略同様の厚み（横・Ｙ）方向の長さを有しており、携帯無線機１０と略同様の形状を有している。これにより収納部４０は、携帯無線機１０がバッテリー１１の充電のために充電器３０に差し込まれた（収納部４０に収納された）際、幅（縦・Ｚ）方向と厚み（横・Ｙ）方向への収納部４０内における携帯無線機１０の移動を防止する。このように収納部４０は、携帯無線機１０の幅（縦・Ｚ）方向と厚み（横・Ｙ）方向とへの移動を防止する防止部である。また収納部４０は、上述したように傾斜しているため、携帯無線機１０の高さ方向における携帯無線機１０の下側（マイク２１側）への移動を防止する防止部である。
【００２７】
また充電器３０は、図３に示すように、収納部４０内に携帯無線機１０をロックする充電器のロック機構（以下、ロック機構５０）を先端４３ａ側に有している。このロック機構５０は、Ｚ方向において、先端側開口部４３の下方に配設されている。ロック機構５０は、充電器３０と一体であり、各収納部４０にそれぞれ配設されている。
【００２８】
ロック機構５０は、バッテリー１１の充電のために収納部４０に収納されている携帯無線機１０の、携帯無線機１０の高さ方向における上側（アンテナ１３側）への移動を規制し、バッテリー１１が充電される際に、収納部４０の傾斜によって先端側開口部４３から充電器３０の外部への携帯無線機１０の抜け落ちを防止する。このように、ロック機構５０は、収納部４０に収納されている携帯無線機１０の移動を、収納部４０とともに防止する。
【００２９】
図３に示すように、ロック機構５０は、先端側開口部４３を横断するようにＹ方向に沿って配設され、Ｙ方向の周方向に自在に回動する回動軸５３と、回動軸５３が貫通し、回動軸５３によってＹ方向の周方向に自在に回動し、先端５５ａが上面１０ａに当接することで先端側開口部４３から充電器３０の外部への携帯無線機１０の抜け落ちを防止し、携帯無線機１０を充電器３０（収納部４０）にロックするロック本体部であるロックレバー５５と、ロックレバー５５の回動を規制する規制部５７とを有している。
【００３０】
図３に示すように、ロックレバー５５は、ＸＺ平面において例えば略三角形形状の断面を有している。先端５５ａと、ロックレバー５５の基端５５ｃとは、三角形の頂点を示す。そしてこのとき回動軸５３は、例えばロックレバー５５の先端５５ａとロックレバー５５の基端５５ｃとを除く頂点５５ｅを貫通している。図３に示すようにロックレバー５５の重心５５ｄは、回動軸５３よりも鉛直方向上側、より詳細には基端５５ｃ側に配設されている。つまり重心５５ｄは、先端５５ａと回動軸５３が貫通する頂点５５ｅを除く基端５５ｃ側に配設されている。これにより図３に示すようにロックレバー５５が操作されていない際（ロックレバー５５に負荷が掛かっていない際）、先端５５ａが上面１０ａに当接するように、ロックレバー５５はロックレバー５５の自重によって回動軸５３を中心にＹ方向の周方向に沿って時計回りに回動する。  
なお図３と図４Ｂとに示すようにロックレバー５５が携帯無線機１０をロックしている際（先端５５ａが上面１０ａに当接している際）と、図３と図４Ａとに示すようにロックレバー５５が操作されていない際、基端５５ｃはロックレバー５５の最下点となる。
【００３１】
また先端５５ａは、上面１０ａに当接する際に、摺動面４５を摺動する携帯無線機１０からの衝撃を緩衝する例えばゴムなどの緩衝部材を有していても良い。
【００３２】
また上記において、ロックレバー５５は、操作されていない際、携帯無線機１０を充電器３０にロックするために自重によって時計回りに回動する、としたが、言い換えると、ロックレバー５５は、主に、携帯無線機１０を充電器３０にロックすることを解除する際に操作される。  
より詳細には、図４Ｃに示すように、ロックレバー５５は、摺動面４５とロックレバー５５の上面５５ｂとが同一平面となるように、回動軸５３を中心にＹ方向の周方向に沿って反時計回りに回動することで、充電器３０における携帯無線機１０のロックを解除する。ロックが解除されると、携帯無線機１０は、自重によって摺動面４５と上面５５ｂとを摺動し、先端側開口部４３から抜け落ちる。
【００３３】
なお反時計回りとは、先端５５ａが先端側開口部４３側から基端側開口部４１側に向って回動することを示す。また時計回りとは、先端５５ａが基端側開口部４１側から先端側開口部４３側に向って回動することを示す。
【００３４】
またロックレバー５５は、作業者の例えば１本の指の操作によって、回動軸５３を中心にＹ方向の周方向に沿って、反時計回り、または時計回りに回動する。  
指の操作は、例えば上面５５ｂまたは基端５５ｃにて行われる。また指の操作は、上述したように主にロックレバー５５が携帯無線機１０を充電器３０にロックすることを解除する際に用いられる。  
上面５５ｂまたは基端５５ｃが指によって操作され、摺動面４５と上面５５ｂとが同一平面となるように、ロックレバー５５が回動軸５３を中心にＹ方向の周方向に沿って反時計回りに回動することで、上述したように充電器３０における携帯無線機１０のロックが解除される。そして携帯無線機１０は、上述したように自重によって摺動面４５を摺動し、充電器３０（先端側開口部４３）から自在に抜去される。
【００３５】
またこの後、ロックレバー５５は、ロックレバー５５の自重によって回動軸５３を中心にＹ方向の周方向に沿って時計回りに回動する。そしてこの後、携帯無線機１０が新たに収納部４０に収納され摺動し、先端５５ａが上面１０ａに当接した際、ロックレバー５５は、収納部４０の傾斜によって先端側開口部４３から充電器３０の外部への携帯無線機１０の抜け落ちを防止し、携帯無線機１０を充電器３０にロックする。
【００３６】
規制部５７は、図４Ａに示すようにロックレバー５５が時計回りに回動した際に基端５５ｃにおけるロックレバー５５の底面５５ｆが規制部５７に当接し、図４Ｃに示すようにロックレバー５５が反時計回りに回動した際に上面５５ｂが摺動面４５と同一平面となるように、ロックレバー５５の回動を規制する。より詳細には、規制部５７は、図４Ａに示すようにロックレバー５５が時計回りに回動し先端５５ａが上面１０ａに当接する際に、底面５５ｆと当接することでロックレバー５５の時計回りの回動を規制する。また規制部５７は、上面５５ｂが摺動面４５と同一平面となるためにロックレバー５５が反時計回りに回動する際に、先端５５ａにおけるロックレバー５５の側面５５ｇと当接することでロックレバー５５が反時計回りに回動し過ぎることを防止し、ロックレバー５５の反時計回りの回動を規制する。
【００３７】
このようにロックレバー５５は、底面５５ｆと側面５５ｇとが規制部５７に当接する範囲の中で回動可能となる。
【００３８】
このような規制部５７は、基端開口部４１側から先端開口部４３側に向って広がっており、ロックレバー５５が上述したように回動可能となるよう配設されている窪みである。もちろん規制部５７は、ロックレバー５５が時計回りに回動した際に底面５５ｆが規制部５７に当接し、ロックレバー５５が反時計回りに回動した際に上面５５ｂが摺動面４５と同一平面となる深さを有している。
【００３９】
充電器３０は、バッテリー１１を充電するために携帯無線機１０が充電器３０（収納部４０）に差し込まれた際に、図４Ｂに示すように端子２５と電気的に接続する端子３５を有している。端子３５は、携帯無線機１０が充電器３０に差し込まれ、上面１０ａが先端５５ａに当接した際に、端子２５と電気的に接続するように、端子２５に対応する位置、図３に示すように例えば基端側開口部４１周辺に配設されている。
【００４０】
また充電器３０は、各収納部４０周辺に、収納部４０に収納されている携帯無線機１０の充電状態を表示するＬＥＤランプなどの図示しない表示部を有している。
【００４１】
次に本実施形態の動作方法について説明する。  
本実施形態の充電器３０はＺ方向に縦型の多連構造となっており、複数の収納部４０と複数のロック機構５０とを有しているが、各収納部４０と各ロック機構５０との動作は同一である。そのため、以下において、１つの収納部４０と１つのロック機構５０とを一例として説明する。
【００４２】
図４Ａに示すように、携帯無線機１０が充電器３０に差し込まれる前において、ロックレバー５５はＸＺ平面において例えば略三角形形状の断面を有し、重心５５ｄは回動軸５３よりも基端５５ｃ側に配設されている。そのためロックレバー５５は、操作されていない状態において、携帯無線機１０が充電器３０に差し込まれた際に先端５５ａが上面１０ａに当接するように、自重によって時計回りに回動する。このときロックレバー５５は、底面５５ｆが規制部５７に当接することで、規制部５７によって時計回りの回動を規制される。
【００４３】
図４Ａに示すように携帯無線機１０は、側面１０ｃから予めケーブルを取り外されている。この状態で携帯無線機１０は、バッテリー１１の充電のために基端側開口部４１から収納部４０に収納される。収納部４０は、基端側開口部４１から先端側開口部４３に向って低くなるように傾斜し、摺動面４５は摩擦係数が低い材質によってコーティングされ、側面１０ｃは滑らかな平面である。そのために、携帯無線機１０は、摺動面４５を摺動し先端側開口部４３に向って滑り落ちる。
【００４４】
なお収納部４０は、携帯無線機１０と略同様の形状を有しているために、携帯無線機１０の幅（縦・Ｚ）方向と厚み（横・Ｙ）方向への収納部４０内における携帯無線機１０の移動を防止する。つまり携帯無線機１０は、収納部４０によって携帯無線機１０の幅（縦・Ｚ）方向と厚み（横・Ｙ）方向への移動を防止される。これにより携帯無線機１０は、幅（縦・Ｚ）方向と厚み（横・Ｙ）方向へぶれることなく携帯無線機１０の高さ（Ｘ・奥）方向に沿って先端側開口部４３に向って滑り落ちる。
【００４５】
そして携帯無線機１０が先端側開口部４３に向って摺動面４５を摺動すると、図４Ｂに示すように上面１０ａが先端５５ａに当接する。このとき先端５５ａは、図示しない緩衝部材によって摺動面４５を摺動する携帯無線機１０からの衝撃を緩衝する。またロックレバー５５は、底面５５ｆが規制部５７に当接しているために、携帯無線機１０の自重がロックレバー５５に掛かっても、規制部５７によって時計回りの回動を規制される。このように携帯無線機１０は、ロックレバー５５によってロックされる。なお収納部４０が傾斜しているため、携帯無線機１０は、携帯無線機１０の下側（マイク２１側）への移動を防止される。
【００４６】
このとき、充電器３０の端子３５は、携帯無線機１０の端子２５と電気的に接続するように端子２５に対応する位置に配置されることとなっている。よって、携帯無線機１０がロックレバー５５によってロックされると同時に、端子３５は端子２５と電気的に接続する。そして携帯無線機１０は充電器３０によって充電され、例えばＬＥＤランプなどが点灯するなど、表示部は、充電器３０が携帯無線機１０を充電していることを表示する。
【００４７】
次に、例えば充電器３０が携帯無線機１０の充電を完了し、携帯無線機１０が収納部４０から抜去される際、作業者は、例えば手のひらをＺ方向上側に向けて、１本の指によって反時計回りに回動するようにロックレバー５５を操作する。
【００４８】
このときロックレバー５５は、１本の指の操作によって反時計回りに回動するように押し込まれる。これによりロックレバー５５は、携帯無線機１０を先端５５ａよりも基端側開口部４１側に向って押し込む。このときロックレバー５５は、側面５５ｇが規制部５７に当接することで、反時計回りに回動しすぎないように規制部５７によって回動を規制される。ロックレバー５５が携帯無線機１０を押し込んだ後、ロックレバー５５は、図４Ｃに示すように、摺動面４５と上面５５ｂとが同一平面となるように１本の指の操作によって手前に引かれる（時計回りに回動する）。
【００４９】
図４Ｃに示すように摺動面４５と上面５５ｂとが同一平面となると、携帯無線機１０は、自重によって摺動面４５と上面５５ｂとを摺動し、先端側開口部４３を通じて収納部４０から抜去される（抜け落ちる）。このとき作業者は、例えば手のひらをＺ方向上側に向けており、またロック機構５０が先端側開口部４３の下方に配設されているため、自重によって摺動して充電器３０から抜去された携帯無線機１０を、ロックを解除した操作の手で受け取ることが可能となる。つまり作業者は、ロックレバー５５を１本の指で操作することで、携帯無線機１０を抜去すると同時に、自重によって摺動し充電器３０から抜け落ちる携帯無線機１０を、ロックレバー５５を操作した手で受け取ることができる。
【００５０】
この後、ロックレバーは、上述したように、新たな携帯無線機１０が充電器３０に差し込まれた際に先端５５ａが上面１０ａに当接するように、図４Ａに示すように自重によって時計回りに回動する。
【００５１】
このように本実施形態では、収納部４０をＺ（縦）方向に沿って縦に多連に配設し、充電器３０をＸＺ平面において縦型の多連構造とすることで、１台の充電器３０で複数の携帯無線機１０を充電できる。  
また図７Ａに示すような例えばカップ形状を有する１台の一般的な充電器３００は、ＸＹ平面において奥型の多連構造を有している。そのため本実施形態では、充電器３０がＸＺ平面において縦型の多連構造を有することで、充電器３０のＸＹ平面における底面積（フットプリント）を、充電器３００のＸＹ平面における底面積よりも小さくすることができる。  
よって本実施形態では、省スペースでより多くの携帯無線機１０を充電することができ、配置されるスペースの煩雑さを解消できる。
【００５２】
また本実施形態では、収納部４０を傾斜させることで、バッテリー１１の充電のために収納部４０に収納されている携帯無線機１０の高さ（Ｘ・奥）方向における携帯無線機１０の下側（マイク２１側）への移動を防止することができる。また本実施形態では、ロック機構５０によって、バッテリー１１の充電のために収納部４０に収納されている携帯無線機１０の、携帯無線機１０の高さ方向における携帯無線機１０の上側（アンテナ１３側）への移動を規制し、バッテリー１１が充電される際に、収納部４０の傾斜によって先端側開口部４３から充電器３０の外部への携帯無線機１０の抜け落ちを防止することができる。これにより本実施形態では、充電中の携帯無線機１０を強固且つ容易にロックすることができる。また本実施形態では、携帯無線機１０が意図せずに充電器３０から外れることを防止でき、机から落下し破損してしまうことを防止でき、オプション機器にぶつかり、オプション機器が故障、破損することも防止できる。
【００５３】
また本実施形態では、充電器３０を縦型の多連構造とすることで、複数の携帯無線機１０を充電するために複数の充電器３０を用意する必要もなく、結果的に充電器３０のために広いスペースも不要となり、省スペースにすることができる。
【００５４】
また本実施形態では、充電器３０を縦型の多連構造として、収納部４０を増やすことで、一度に充電できる携帯無線機１０の数が限定されることが少なくなり、携帯無線機１０の収納密度を向上させることができる。
【００５５】
また本実施形態では、充電器３０をＺ方向に縦型の多連構造とすることで、例えば机の上に充電器３０と共にオプション機器が配置されていても、机の煩雑さを解消できる。  
これにより本実施形態では、例えば充電器３０が配置される机にスペースを設けることができ、例えば充電するために側面１０ｃから取り外されたケーブルを纏めておくためのスペースを確保することができる。また本実施形態では、スペースの煩雑さを解消できるために、容易に机のスペースを整理整頓することができる。
【００５６】
また本実施形態では、図３に示すように収納部４０を吹き抜け構造としている。これにより本実施形態では、埃やゴミなどのダストが収納部４０に蓄積しても、基端側開口部４１と先端側開口部４３とが貫通しているため収納部４０を容易に清掃することができる。
【００５７】
また本実施形態では、図２に示すように収納部４０の幅（縦・Ｚ）方向の長さと厚み（横・Ｙ）方向の長さとを携帯無線機１０の幅（縦・Ｚ）方向の長さと厚み（横・Ｙ）方向の長さと略同様にすることで、バッテリー１１の充電のために収納部４０に収納されている携帯無線機１０の幅（縦・Ｚ）方向と厚み（横・Ｙ）方向とへの移動を防止することができる。これにより本実施形態では、充電中の携帯無線機１０をより強固にロックすることができる。
【００５８】
また本実施形態では、図３に示すように収納部４０を傾斜させ、Ｚ方向においてロック機構５０を先端側開口部４３の下方に配設している。よって本実施形態では、ロックレバー５５を操作することで、携帯無線機１０を抜去すると同時に、ロックレバー５５を操作した手で携帯無線機１０を受け取ることができる。
【００５９】
また本実施形態では、図３に示すようにロックレバー５５はＸＺ平面において例えば略三角形形状の断面を有し、重心５５ｄは回動軸５３よりも基端５５ｃ側に配設されている。そのため本実施形態では、ロックレバー５５が操作されていない状態において、先端５５ａが上面１０ａに当接するように、ロックレバー５５の自重によってロックレバー５５を時計回りに回動させてロックすることができる。これにより本実施形態では、携帯無線機１０を充電器３０に差し込みさえすれば、ロックレバー５５を操作せずに、先端５５ａを上面１０ａに当接でき、ロックレバー５５によって携帯無線機１０を容易にロックすることができる。またこのとき本実施形態では、底面５５ｆを規制部５７に当接させることで、携帯無線機１０の自重がロックレバー５５に掛かっても、ロックレバー５５が携帯無線機１０の自重によって時計回りに回動することを規制部５７によって規制でき、ロックレバー５５によって携帯無線機１０を強固にロックすることができる。
【００６０】
また本実施形態では、ロックレバー５５を１本の指によって操作することで、ロック機構５０による携帯無線機１０のロックを容易に解除することができる。
【００６１】
また本実施形態では、収納部４０を傾斜させているために、摺動面４５と上面５５ｂとが同一平面となるようにロックレバー５５を操作することで、自重によって携帯無線機１０を摺動面４５と上面５５ｂと摺動させることができ、充電器３０から携帯無線機１０を容易に抜去することができる。
【００６２】
また本実施形態では、図示しない先端５５ａの緩衝部材によって摺動面４５を摺動する携帯無線機１０からの先端５５ａへの衝撃を緩衝することができる。  
また本実施形態では、回動軸５３の径を太くするほど、ロックレバー５５の強度を高く維持することができる。
【００６３】
また本実施形態では、先端５５ａではなく側面５５ｇが上面１０ａに当接してもよい。
また本実施形態では、側面１０ｃを滑らかな平面とし、摺動面４５を摩擦係数が低い材質によってコーティングすることで、携帯無線機１０を阻害無く摺動面４５にて摺動させることができる。
【００６４】
また本実施形態では、収納部４０を基端側開口部４１から先端側開口部４３に向って低くなるように傾斜させているために、携帯無線機１０を充電器３０に差し込むだけで、図４Ｂに示すように端子３５を端子２５に対応する位置に配置できるように、携帯無線機１０を自重によって摺動させることができる。
【００６５】
また本実施形態では、図３と図４Ｂとに示すように携帯無線機１０が充電器３０に差し込まれた際に、端子２５と電気的に接続するように、端子２５に対応する位置、例えば基端側開口部４１周辺に端子３５を配設している。これにより本実施形態では、携帯無線機１０を充電器３０に差し込みさえすれば、基端側開口部４１から先端側開口部４３に向って低くなるように傾斜している収納部４０によって携帯無線機１０が自重によって基端側開口部４１側から先端側開口部４３側に収納部４０内を摺動するため、端子２５と端子３５とを電気的に接続することができ、充電を素早く開始することができる。  
また本実施形態では、収納部４０を基端側開口部４１から先端側開口部４３に向って低くなるように傾斜させているために、充電器３０からの携帯無線機１０をスムーズ且つ容易に挿脱することができる。
【００６６】
なお本実施形態では、基端側開口部４１を挿入口とし、先端側開口部４３を抜去口としているが、これに限定する必要はない。本実施形態では、収納部４０を吹き抜け構造にできれば、基端側開口部４１を抜去口とし、先端側開口部４３を挿入口としてもよい。  
この場合、摺動面４５と上面５５ｂとが同一平面となるように、携帯無線機１０がロックレバー５５を押し込みつつ反時計回りに回動させる。そして携帯無線機１０は、摺動面４５と上面５５ｂとを摺動しながら基端側開口部４１から収納部４０に収納される。このとき携帯無線機１０は、上面１０ａが先端５５ａよりも基端側開口部４１側にまで配置するように、一度挿入される。そしてロックレバー５５は、ロックレバー５５の自重によって回動軸５３を中心にＹ方向の周方向に沿って時計回りに回動し、携帯無線機１０が自重によって先端側開口部４３側にまで戻るように摺動した際、先端５５ａが上面１０ａに当接することで、携帯無線機１０をロックする。
【００６７】
このように本実施形態では、収納部４０を吹き抜け構造として、先端側開口部４３と基端側開口部４１との一方を挿入口とし、他方を抜去口とし、２方向から携帯無線機１０を充電器３０（収納部４０）から自在に挿脱することも可能となる。これにより本実施形態では、様々な状況において、携帯無線機１０を自在に充電器３０に挿脱することができる。  
もちろん本実施形態では、基端側開口部４１が挿入口と抜去口とを兼ね、先端側開口部４３も挿入口と抜去口とを兼ねていてもよい。
【００６８】
また本実施形態において、基端側開口部４１が抜去口となる場合、基端側開口部４１には、図５に示すように切り欠き部４７が配設されることが好適である。切り欠き部４７は、基端側開口部４１と連通しており、且つ収納部４０に収納される携帯無線機１０の正面１０ｂの下端側（マイク２１側）と対向する。つまりＹＺ平面に形成される基端側開口部４１と、ＸＺ平面に形成される切り欠き部４７とは、Ｌ字形状を形成する。
【００６９】
これにより本実施形態では、収納部４０に収納されている携帯無線機１０の基端１０ｄ側を切り欠き部４７によって容易につかむことができ、携帯無線機１０を基端側開口部４１から容易に抜去することができる。
【００７０】
また本実施形態では、充電器３０は、Ｚ方向に縦型の多連構造となっているが、図６Ａ乃至図６Ｃに示すように、さらにＹ（横）方向において互いに並列に接続して横型の多連構造をさらに有していてもよい。つまり充電器３０が横型にも多連となるように、充電器３０同士が互いに接続してもよい。
【００７１】
この場合、充電器３０は、図１と図２と図５と図６Ａ乃至図６Ｃとに示すように、互いに接続するための接続部３７を有している。接続部３７は、例えば凸部と凹部とである。一方の充電器３０ａの接続部３７における凸部と凹部とが、他方の充電器３０ｂの接続部３７における凹部と凸部とに嵌め込まれることで、充電器３０同士が横型にも多連となる。これにより本実施形態では、より多くの携帯無線機１０を省スペースで充電することができる。
【００７２】
なお充電器３０同士が横型にも多連となれば、その接続方法は特に限定されない。そのため接続部３７は、上記に限定する必要はなく、溝と、溝に嵌め込まれる嵌め込み部材とであってもよい。このとき一方の充電器３０ａの接続部３７における嵌め込み部材が、他方の充電器３０ｂの接続部３７における溝にスライドして嵌め込まれることで、充電器３０同士が横型にも多連となる。
【００７３】
充電器３０が切り欠き部４７を有していても、充電器３０が縦型及び横型の多連構造を有すると、図６Ｃに示すように一端側の充電器３０ａに配設されている切り欠き部４７を除いて、他端側の充電器３０ｂに配設されている切り欠き部４７は隣接する充電器３０ａ，３０ｂによって隠れてしまう。この場合、充電器３０ｂの切り欠き部４７における側面４７ａは、充電器３０が隣接していても、基端１０ｄをつかむために容易に切り欠き部４７に手を挿入しやすい厚みを有していればよい。
【００７４】
次に図７Ａ乃至図７Ｃを参照して、互いに接続することで奥型と横型との多連構造を有する一般的な充電器３００と、上述した縦型と横型との多連構造を有する充電器３０と、を比較する。充電器３００と充電器３０とは、準備室１０１と作業現場１０３とをつなぐ通路１０５に配置されるものとする。
【００７５】
図７Ａと図７Ｂとに示すように、一般的な充電器３００は、例えばカップ形状を有し、互いに接続することでＸＹ平面において奥型と横型との多連構造を有している。つまり一般的な充電器３００は、本実施形態とは異なりＸ方向に奥型の多連構造を有し、本実施形態とは同様にＹ方向に横型の多連構造を有している。  
充電器３００には、Ｘ方向において前後２列に渡り、携帯無線機１０が差し込まれる。つまり、携帯無線機１０は、充電器３００におけるＸ方向の手前側の収納部４０ａと奥側の収納部４０ｂとに差し込まれる。そのため準備室１０１から退出し、携帯無線機１０を充電器３００から抜去して作業現場１０３に向う人の流れ１０９と、作業現場１０３から戻り、携帯無線機１０を充電器３００に差し込んで（挿入して）、準備室１０１に向う人の流れ１１１とが、充電器３００におけるＸ方向の手前１１３ａ側と奥１１３ｂ側とに生じる。
【００７６】
これにより準備室１０１と作業現場１０３とを行き交う人の流れが、複雑になってしまう。そのため携帯無線機１０を充電器３００から挿脱する動作も容易ではなくなる。特に、作業者が例えば手前１１３ａ側の通路１０５ａを通っている際に、携帯無線機１０を奥１１３ｂ側の収納部４０ｂから挿脱する動作は、面倒になってしまう。また充電器３００のための底面積スペースも比較的多く必要となる。
【００７７】
しかしながら本実施形態における充電器３０において、例えば基端側開口部４１を挿入口とし、先端側開口部４３を抜去口と設定することで、人の流れ１０９を例えば先端側開口部４３側（手前１１３ａ側）に配置することができ、人の流れ１１１を基端側開口部４１側（奥１１３ｂ側）に配置することができる。
【００７８】
このように本実施形態では、作業現場１０３と準備室１０１とを行き交う人の流れを一方通行にでき、人の流れを整理することができる。また本実施形態の充電器３０は、ＸＹ平面において奥型の多連構造ではなくＸＺ平面において縦型の多連構造を有している。よって本実施形態では、一般的な充電器３００において、作業者が手前１１３ａ側の通路１０５ａを通っている際に、携帯無線機１０を奥１１３ｂ側の収納部４０ｂから挿脱する面倒な動作を解消できる。また本実施形態では、上述したように収納部４０を傾斜させているために、充電器３０から携帯無線機１０をスムーズ且つ容易に挿脱することができる。
【００７９】
（付記１）
携帯無線機を充電するために前記携帯無線機を収納し、収納した際に前記携帯無線機が自重によって摺動するように、傾斜している収納部と、
前記収納部内に前記携帯無線機をロックするロック機構と、
を具備し、
前記ロック機構は、
厚み方向の周方向に自在に回動する回動軸と、
前記回動軸が貫通し、前記回動軸によって前記厚み方向の周方向に自在に回動し、先端が前記収納部を摺動する前記携帯無線機に当接することで外部への前記携帯無線機の抜け落ちを防止し、前記携帯無線機をロックするロック本体部と、
前記ロック本体部の回動を規制する規制部と、
を有し、
複数の前記携帯無線機を充電するために、複数の前記収納部を高さ方向に沿って並んで配設することで、縦型の多連構造を有する多連型の携帯無線機用充電器。
【００８０】
（付記２）  
前記収納部は、先端側開口部と、前記先端側開口部と連通している基端側開口部とからなる吹き抜け構造を有していることを特徴とする付記１に記載の多連型の携帯無線機用充電器。
【００８１】
（付記３）  
前記吹き抜け構造を有する前記収納部の前記先端側開口部と前記基端側開口部との一方を前記収納部に前記携帯無線機を挿入するための挿入口とし、他方を前記収納部から前記携帯無線機を抜去するための抜去口とすることで、２方向から前記携帯無線機を前記収納部から挿脱することを特徴とする付記２に記載の多連型の携帯無線機用充電器。
【００８２】
（付記４）  
前記収納部は、前記携帯無線機の幅方向の長さと略同様の幅方向の長さを有し、前記携帯無線機の厚み方向の長さと略同様の厚み方向の長さを有し、前記幅方向と前記厚み方向への前記収納部内における前記携帯無線機の移動を防止することを特徴とする付記３に記載の多連型の携帯無線機用充電器。
【００８３】
（付記５）  
前記ロック機構は、高さ方向において、前記先端側開口部の下方に配設されていることを特徴とする付記４に記載の多連型の携帯無線機用充電器。
【００８４】
（付記６）  
前記ロック本体部は三角形形状の断面を有し、前記ロック本体部の重心は三角形形状の頂点である前記先端と前記回動軸が貫通する頂点を除く頂点側に配設されていることを特徴とする付記５に記載の多連型の携帯無線機用充電器。
【００８５】
（付記７）  
前記収納部は、前記基端側開口部から前記先端側開口部に向って低くなるように傾斜していることを特徴とする付記６に記載の多連型の携帯無線機用充電器。
【００８６】
（付記８）  
前記基端側開口部と連通し、且つ前記収納部に収納される前記携帯無線機の正面の下端側と対向する切り欠き部を有することを特徴とする付記７に記載の多連型の携帯無線機用充電器。
【００８７】
（付記９）  
幅方向において互いに並列に接続して横型の多連構造をさらに有することを特徴とする付記８に記載の多連型の携帯無線機用充電器。
【００８８】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００８９】
１０…携帯無線機、１０ａ…上面、１０ｂ…正面、１０ｃ…側面、１０ｄ…基端、１１…バッテリー、１３…アンテナ、１５…スピーカ、１７…モニタ、１９…スイッチ、２１…マイク、２５…端子、３０…充電器、３５…端子、４０…収納部、４１…基端側開口部、４１ａ…基端、４３…先端側開口部、４３ａ…先端、４５…摺動面、５０…ロック機構、５３…回動軸、５５…ロックレバー、５５ａ…先端、５５ｂ…上面、５５ｃ…基端、５５ｄ…重心、５５ｅ…頂点、５５ｆ…底面、５５ｇ…側面、５７…規制部。
【図１】
2011125203.tif 000003
【図２】
2011125203.tif 000004
【図３】
2011125203.tif 000005
【図４Ａ】
2011125203.tif 000006
【図４Ｂ】
2011125203.tif 000007
【図４Ｃ】
2011125203.tif 000008
【図５】
2011125203.tif 000009
【図６Ａ】
2011125203.tif 000010
【図６Ｂ】
2011125203.tif 000011
【図６Ｃ】
2011125203.tif 000012
【図７Ａ】
2011125203.tif 000013
【図７Ｂ】
2011125203.tif 000014
【図７Ｃ】
2011125203.tif 000015